(57)【特許請求の範囲】
【請求項１】
バレル（７）によって作動される時打ち輪列（１４）を含む時計（１０）における該時計に装備された時打ちを始動させる機構（９）であって、
前記機構が、所定の時間間隔をカウントダウンして文字盤（１３）上に表示するタイマー（１１）と、該タイマーが前記カウントダウンを終了すると前記時打ちを聞かせる前記時打ち輪列（１４）との間に配置され、
前記機構が、前記タイマー（１１）と前記時打ち輪列（１４）との間に挿入されたレバー（１）を含み、該レバーが、ピボット軸（１５）と、該ピボット軸の両側に位置付けられた第１の部分（１６）と第２の部分（１７）を含み、前記タイマー（１１）がカウントダウンを終了すると、前記第１の部分（１６）が前記タイマー（１１）によって作動されるように構成されており、前記第２の部分（１７）が、カウントダウン中は前記時打ち輪列（１４）を固定し、前記タイマーがカウントダウンを終了すると、前記時打ち輪列を固定解除するように構成されていることを特徴とする機構（９）。
【請求項２】
前記タイマー（１１）が、時間間隔を表す１組の針（１９、２０、及び、２１）が取り付けられた軸（１８）上に、くちばし状部（６）が備えられたプレート（２２）を支持する分ホイール（８）を含み、前記レバー（１）の第１の部分（１６）が板ばね（３）を支持し、該板ばねの一方の端部（２３）が、前記プレート（２２）のくちばし状部（６）と接触して前記レバー（１）を回転させることができ、該レバー（１）の第２の部分（１７）が、前記時打ち輪列（１４）のホイールセット（５）に形成された切り欠き部（２４）と協働してカウントダウン中に前記時打ち輪列を固定する固定石（２）を支持することを特徴とする、請求項１に記載の機構。
【請求項３】
前記プレート（２２）が、ネジ（２６）によって前記分ホイール（８）に固定されることにより、前記プレートのくちばし状部（６）を前記ホイールの歯（２７）に対して配向することが可能となることを特徴とする請求項２に記載の機構。
【請求項４】
前記レバー（１）の第２の部分（１７）によって支持される前記石（２）が、前記第２の部分を押圧する板ばね（４）によって前記時打ち輪列（１４）のホイールセット（５）の切り欠き部（２４）内に保持されることを特徴とする請求項３に記載の機構。
【請求項５】
調節デバイス（２８）を前記板ばね（４）に取り付けて、これにより前記レバー（１）の第２の部分（１７）にかかる前記板ばね（４）の圧力を調節することを特徴とする請求項４に記載の機構。
【請求項６】
前記レバー（１）の石（２）と協働するように前記切り欠き部（２４）が形成された、前記時打ち輪列（１４）のホイールセット（５）が、前記時打ち輪列（１４）の端部に位置付けられた遠心調速器であることを特徴とする請求項２に記載の機構。
【請求項７】
カウントダウンによって、前記分ホイール（８）と該分ホイールと関連する前記くちばし状部（６）とが（Ａ）方向に駆動されると、前記くちばし状部（６）が前記板ばね（３）と接触した時に前記板ばねが湾曲しないように構成されており、これにより前記レバー（１）を回転させて前記時打ち機構を始動することを特徴とする請求項２に記載の機構。
【請求項８】
前記分ホイール（８）が、カウントダウン時の方向と反対の（Ｂ）方向に駆動される場合、特に分ホイールがクロノグラフの分カウンタとして使用される場合、前記ホイール（８）と関連する前記くちばし状部（６）が前記板ばねと接触する時に前記板ばね（３）が湾曲するように構成されており、その結果、前記レバー（１）が前記くちばし状部を前記機構に力を加えることなく通過させることを特徴とする請求項２に記載の機構。
【請求項９】
前記板ばね（３）が、前記レバー（１）の第１の部分（１６）に形成された肩部（２９）に当接し、前記板ばねの端部（２３）が前記第１の部分（１６）を超えて延びており、該端部（２３）は、前記分ホイール（８）と関連する前記くちばし状部（６）と接触する部分を表していることを特徴とする請求項７または請求項８に記載の機構。
【発明の詳細な説明】
【技術分野】
【０００１】
本発明は、バレルによって作動させられる時打ち輪列を含む時計に装備される時打ちを始動する機構に関する。
【背景技術】
【０００２】
バレルによって作動させられる時打ち輪列によって時打ちを始動する機構を装備した時計は、当該技術分野で最先端の公知のものである。これは主として、ユーザが時計に装備された押しボタンを作動させると、ユーザの要求に応じて１時間、３０分、及び１５分を時打ちする計時器である。リピータ時計と呼ばれるより複雑な時計では、分単位で時打ちすることも可能である。
【発明の開示】
【発明が解決しようとする課題】
【０００３】
しかしながら出願人が知る限り、タイマーに記憶された時間期間のカウントダウン終了時に、時計の装着者に警報する時打ちが提案されたことはない。
【課題を解決するための手段】
【０００４】
この欠点を補うために、本発明は、時打ちを始動する機構が、所定の時間間隔をカウントダウンして文字盤上に表示するタイマーと、該タイマーがカウントダウンを終了した時に、時打ちを聞かせる時打ち輪列との間に配置されていることを特徴とする。
【発明を実施するための最良の形態】
【０００５】
次に、添付図面により示された例証としての実施形態によって、本発明を詳細に説明する。
【０００６】
図１は、本発明を含む時計１０の平面図である。この時計は、計時針、すなわち時針３０、分針３１、及び、小さな秒針３２を含む。大きな開口を有する日付デバイスで本時計が完成する。ここで実施形態として取り上げた時計はさらに、秒針３４及び分カウンタ１１を備えるクロノグラフ機能を含む。この秒針３４と分カウンタ１１は、第１の押しボタン３５によって始動及び停止し、他方、第２の押しボタン３６は、前記表示器３４と１１をゼロにリセットする。竜頭３７が移動する軸方向位置に応じて、時計のねじを巻き、日付を設定し、及び計時器を正確な時刻に設定することができる。
【０００７】
例として取り上げた時計では、分カウンタ１１は、タイマーすなわちカウントダウンカウンタ１１としても使用され、カウントダウンされる期間の設定は、竜頭３７で与えられる。第３の押しボタン３８を押すことによって、タイマーが始動され、カウントダウンの終了を示す時打ちを始動するバレルが巻かれる。図１、２が示すように、カウンタタイマー１１は、それぞれが１０分の、３つの同心円状の目盛りを備え、各目盛りの上を異なる長さの針１９、２０、及び２１が移動する目盛盤１３を含む。
【０００８】
図２が示すように、時計は、バレル７によって作動させられる時打ち輪列１４を含む。バレル７は、押しボタン３８で終わる（図１参照）バー４０に形成されたラック３９によって巻き上げられる。ここでは詳細に説明されないバレル７組立体は、時打ちハンマ（図示していない）を作動させる先端部４２を有する。この組立体は、時打ち輪列１４を駆動する。該時打ち輪列１４は、ここでは最終ホイールセット５を含む３つのホイールセットを含む。
【０００９】
本発明によれば、時打ち始動機構９は、所定の時間間隔をカウントダウンし、文字盤１３（図１参照）上に表示するタイマー１１と、タイマー１１がカウントダウンを終了すると前記時打ちを聞かせる時打ち輪列１４との間に配置されている。
【００１０】
図２で明確に分かるように、始動機構９はレバー１を含む。このレバーは、ピボット軸１５と、該ピボット軸１５の両側に位置付けられた第１の部分１６と第２の部分１７とを含む。第１の部分１６は、タイマー１１がカウントダウンを終了すると、該カウンタ１１によって作動されるように構成されている。第２の部分１７は、カウントダウン中は時打ち輪列１４を固定し、タイマーが前記カウントダウンを終了すると、前記輪列を固定解除するように構成されている。
【００１１】
次に、この始動機構を形成する１つの方法を詳細に説明する。この目的のために、図２、図３、及び図４を参照する。
【００１２】
タイマー１１は、本質的には、３０分で１回転する分ホイール８を含む。このホイールは、ここでは説明しないプロセスに従って、時計の竜頭３７により所望の時間間隔に設定される。選択された時間間隔を表示する針１９、２０、及び２１の組が、前述のようにホイール８の軸１８に取り付けられる。第３の押しボタン３８が押された瞬間に（図１参照）、バレル１７が巻き上げられて、カウントダウンプロセスが開始され、次いでホイール８が、図２に示されていない機構に従って、時計のムーブメントと噛合する。ホイール８は、次いでカウントダウンの方向である矢印Ａの方向に回転する。
【００１３】
図２で示されている機構は、時計の裏側から見たものであり、これにより矢印Ａの方向が、時計を表側から見た図１に示されているカウントダウン方向とは逆である理由が分かるであろう。
【００１４】
ホイール８は、くちばし状部６を備えたプレート２２を支持し、レバー１の第１の部分１６は、板ばね３を支持し、該板ばねの一方端２３がプレート２２のくちばし状部６と接触可能である。レバー１の第２の部分１７は、時打ち輪列１４の最終可動部５に形成された切り欠き部２４と協働する固定用石２を支持する。
【００１５】
カウントダウン中、プレート２２のくちばし状部６は、板ばね３の端部２３とは接触せず、石２は可動部５の切り欠き部２４と係合し、このようにして時打ち輪列１４を固定する。ここで、石２は、レバー１の第２の部分１７を押圧する板ばね４の作用によって切り欠き部２４に係合保持され、この押圧力は調節デバイス２８によって調節可能であることが理解されるであろう。デバイス２８がＦ又はＧの方向に回転することによって、この押圧力はそれぞれ増大又は減少する。
【００１６】
タイマー１１がカウントダウンを終了すると、プレート２２のくちばし状部６は、板ばね３の端部２３に接触してレバー１を回転させ、これは石２を切り欠き部２４から解放する作用を有する。従って、時打ち輪列が解放され、バレル７組立体の一部を形成する先端部４２が回転し始めて、これにより上述のように時打ちハンマを作動させる。ここで、単一の音を出すには単一の先端部で十分であることを理解されたい。しかしながら、３つの短く近接した音を発生する３つの先端部を配置するのが好ましい。また、この機構を始動するのに必要な力は、提案のデバイスによって極めて僅かなものであることを理解されたい。
【００１７】
時打ち輪列１４の最終ホイールセット５は、歯車列の回転速度を制限し、且つブレーキとして運動連鎖に作用する遠心調速器である。この目的のために、ホイールセット５は２つの慣性ブロック４３及び４４を支持し、ホイールセット５が回転駆動される時には遠ざかる方向へ移動する。
【００１８】
くちばし状部６を有するプレート２２は、分ホイール８に対して角度を調節することができる。この調節はネジ２６で行うことができる。時打ちが始動する瞬間を、タイマー文字盤１３に示されるゼロ目盛と正確に一致させたい場合には、くちばし状トリガ部６を、ホイール８の歯２７に対して配向されなければならないことが理解されるであろう。
【００１９】
図３及び図４は、図２中に示されているレバー１の拡大図である。板ばねが、レバー１の第１の部分１６に形成された肩部２９に当接して取り付けられ、この位置でピン４５によって保持されているのが分かる。また、これらの図において、板ばねの端部２３は、分ホイール８と関連するくちばし状部６と接する部分を表していることが分かる。板ばねのこの配置によって、分ホイール８が２つの役割を有する。すなわち、カウントダウン終了時に時打ちを始動するカウントダウン用タイマーの役割と、クロノグラフの分カウンタの役割である。
【００２０】
実施形態として取り上げた時計においては、カウントダウンによって分ホイール８及び該分ホイールと関連するくちばし状部６がＡ方向（時計回り）へ駆動される。この状況において、くちばし状部が板ばね３に接触すると、より正確にはこの板ばねの端部２３に接触すると、該板ばねは、レバー１の肩部２９に押しつけられるため湾曲することができず、これによりレバーを回転させ、時打ち機構を始動させる。
【００２１】
分ホイール８が、カウントダウン時の方向と反対のＢ方向（反時計回り）に駆動される場合、特に分ホイールがクロノグラフ分カウンタとして使用される場合には、板ばね３は、図３の参照符号３’で示されるように湾曲し、これによりくちばし状部６が該機構を何ら損傷することなく通過することができる。同じ状況が、竜頭３７によってカウントダウンされるべき時間が決定され、文字盤１３上のゼロを、例えば何度も通過する場合にも生じる。
【図面の簡単な説明】
【００２２】
【図１】本発明を含む時計の平面図。
【図２】タイマーと時打ち輪列との間に配置された本発明による始動機構の平面図。
【図３】始動機構の主要部分を構成するレバーの拡大図。
【図４】図３に示されている矢印IVに沿って見た図。
【符号の説明】
【００２３】
７  バレル
１４  時打ち輪列
９  始動機構
１１  タイマー
【図１】
0004759217.tif 000002
【図２】
0004759217.tif 000003
【図３】
0004759217.tif 000004
【図４】
0004759217.tif 000005